(57)【要約】【課題】煙を感知して遮煙スクリーンが下降していても、脱出スイッチにより遮煙スクリーンを巻取って上昇させ、エレベータ内外に脱出することができるようにする。【解決手段】エレベータ内側又は外側の遮煙スクリーン１面に脱出スイッチ３０を設置し、脱出スイッチ３０を押している間は遮煙スクリーン１が巻取られて上昇し、脱出スイッチ３０の押圧を解除すると遮煙スクリーン１の巻取り動作が停止し、停止後所定時間経過後に遮煙スクリーン１が床面に接地するまで下降して停止するように構成する。【選択図】　図４
2004075258.tif 000002
【特許請求の範囲】
【請求項１】
エレベータ内外において煙を感知した場合に、エレベータの開口部を被覆する遮煙部材（１）を駆動することにより遮煙を行うエレベータ用遮煙装置において、
遮煙部材（１）がエレベータ開口部を閉鎖したときにエレベータ内外の乗客がボタンの押圧により遮煙部材（１）が脱出可能な位置まで開口するための脱出スイッチ（３０）が設置されており、
脱出スイッチ（３０）を押している間は遮煙部材（１）が開口し、脱出スイッチ（３０）の押圧を解除すると遮煙部材（１）の開口動作が停止し、停止後所定時間経過後に遮煙部材（１）が閉鎖して停止するように構成されていることを特徴とするエレベータ用遮煙装置用脱出装置
【発明の詳細な説明】
【０００１】
【発明の属する技術分野】
本発明は、火災時に中空筒体としてのエレベータシャフトから部屋内又は部屋からエレベータ内に煙が流入しないように、エレベータ出入り口に備えられるエレベータ用遮煙装置用脱出装置に関する。
【０００２】
【従来の技術】
従来、エレベータ用遮煙装置はなかった。そこで、本出願人は、エレベータ外において煙を感知した場合に、エレベータ出入り口の上部に備えられたハウジング内に巻回されて収納されていたエレベータの遮煙用スクリーンが下降することによりエレベータ内に煙が流入しないように遮煙を行うエレベータ用遮煙装置を開発した。そのエレベータ用遮煙装置では、脱出スイッチはなく、エレベータ内の乗客は、火災時に遮煙スクリーンが下降して、エレベータ内に閉じ込められた場合、スクリーンを手で押し開けて脱出する必要があった。
【０００３】
【発明の解決しようとする課題】
しかしながら、火災時のような乗客がエレベータ内に閉じ込められるという緊急事態の場合、乗客がパニック状態となることが予想されるため、スクリーンを手で押し開ける動作が容易に行われない恐れがある。
【０００４】
このため、本出願人は、脱出スイッチを押すと、遮煙スクリーンがハウジングまで巻き上がる脱出スイッチを設けることを発明した。
しかしながら、この場合、上まで遮煙スクリーンが上がってしまうと、煙がエレベータ内外に流入してしまうため、安全が確保されないという問題があった。
【０００５】
【課題を解決するための手段】
本発明は、上記のような従来の課題を解決するためのものであり、煙を感知して遮煙部材がエレベータ開口部を閉鎖していても、脱出スイッチにより遮煙部材を駆動して上昇させ、エレベータ外に脱出することができるエレベータ用遮煙装置の脱出装置を提供することを目的とする。
【０００６】
請求項１記載の発明は、エレベータ内外において煙を感知した場合に、エレベータの開口部を被覆する遮煙部材（１）を駆動することにより遮煙を行うエレベータ用遮煙装置において、
遮煙部材（１）がエレベータ開口部を閉鎖したときにエレベータ内外の乗客がボタンの押圧により遮煙部材（１）が脱出可能な位置まで開口するための脱出スイッチ（３０）が設置されており、脱出スイッチ（３０）を押している間は遮煙部材（１）が開口し、脱出スイッチ（３０）の押圧を解除すると遮煙部材（１）の開口動作が停止し、停止後所定時間経過後に遮煙部材（１）が閉鎖して停止するように構成されていることを特徴とするものである。
【０００７】
なお、脱出可能な位置まで開口とは、上下方向に開口する場合だけでなく、左右方向、前後方向等全ての場合について、開口する場合を含む。また、閉鎖とは、例えば、遮煙部材が、上下方向に開口する場合には、遮煙部材が床面に接地して開口部を閉鎖する場合であり、左右方向に開口する場合には、左右方向に遮煙部材が移動して開口部を閉鎖する場合を言う。
【０００８】
【発明の実施の形態】
以下、本発明の実施の形態について詳細に説明する。ここで、図１は、本発明の一実施の形態の全体構造を示す斜視図であり、図２は、図１の下面から見たハウジングの底面図であり、図３は、巻取装置の断面図であり、図４は、スクリーンの（ａ）は全開、（ｂ）は中間、（ｃ）は全閉の状態を示す図である。
【０００９】
本発明の遮煙スクリーンは、スクリーン１を収納するハウジング２が所定間隔をあけて鉛直方向に並設されたレール３の上部に設置されており、内蔵のスクリーン１が鉛直下向きに引き出されるようになっている。レール３は、磁石が付着可能な金属製であり、エレベータの開口部の幅に沿うように取付けられており、スクリーン１の左右両側のレール３と当接する部分には、板状のマグネット４が取付けられて、レール３に対して隙間なく吸着するようになっている。煙感知器５が煙を感知すると、その電気信号を制御部１２が受けて、スクリーン１がハウジング２の下面を押し開き、スクリーン１を下降させながら引き出すようになっている。
【００１０】
次に、図２、３により、スクリーン１の上昇及び下降を行う巻取装置６について説明する。巻取装置６は、モータコイル部７と、ハイポイドギア９と、ベアリング１５と、巻取リール８と、図示してないプーリと、により構成されており、モータコイル部７は、商用電源又は電池で動作する。ハイポイドギア９の出力軸１１は、モータコイル部７の出力軸２０に対して垂直になるように配設されており、出力軸１１はモータコイル部７側ケーシング１４内において、ベアリング１５で回転可能に支持されている。出力軸１１の先端側には、巻取リール８が取付けられており、巻取リール８はモータコイル部７の回転方向に応じて、下方のプーリの使用により、スクリーン１の巻取り又は引出しを行う。
【００１１】
図４に示されるように、エレベータ内側又は外側のスクリーン１面に脱出スイッチ３０が設けられている。内側だけでなく、外側にも脱出スイッチ３０を設けることにより、エレベータの外側からの操作が可能となるため、安全性が高まる。脱出スイッチ３０はスクリーン１の下端より約１〜１．５ｍの高さ位置でスクリーン１の中央に配置されている。このため、容易に手が届き、楽に操作を行うことができる。なお、スクリーンを巻取った際には、脱出スイッチが押圧された状態となっても、動作信号が出力されないように制御する。
【００１２】
次に、本実施の形態の制御について説明する。図５に、本実施の形態の制御を示すブロック図を、図６に電気回路の全体回路図を、図７に図６のＡ部分の巻取動作中の状態を示す回路図を、図８に図６のＡ部分の巻取動作が停止の状態、すなわち電気回路が閉回路となった状態を示す回路図をそれぞれ示す。
【００１３】
図５、６に示されるように、マイコン３４には、脱出スイッチ３０からの信号の他、煙感知装置３１、電圧判定回路３２及び過電流検知回路３３からの信号がそれぞれ入力され、マイコン３４は入力された信号に基づいてスクリーン１を開放又は閉鎖させる信号をモータコイル部７に入力する。モータコイル部７は、マイコン３４からの信号に基づいて駆動し、巻取装置６がスクリーン１の巻取り又は引出しの動作を行う。
【００１４】
次に、本実施の形態の動作について説明する。脱出スイッチ３０を押すと、ＬＥＤランプが点灯し、フォトカプラを介して、開放スイッチ信号がマイコン３４に入力し、開信号が出力される。これにより、ＲＹ１がＯＮし、モータコイル部７が巻取り方向に回転駆動して、巻取装置６がスクリーン１を巻取り上昇させる。脱出スイッチ３０を押している間はスクリーン１の巻取りが続き、スクリーン１は上昇し続ける。
【００１５】
脱出スイッチ３０を離すとＲＹ１がＯＦＦし、電気ブレーキが働くためモータが停止し、スクリーン１の巻取りが停止する。
【００１６】
停止後一定時間経過後にＲＹ１がＯＮし、モータコイル部７が引出し方向に回転駆動して、巻取装置６がスクリーン１を床面に接地するまで降下させ停止させる。スクリーン１の上昇時及び降下時のＲＹ１及びＲＹ２のＯＮ、ＯＦＦのタイミング及びＯＮ、ＯＦＦの状態は、次の通りである。上昇時には、ＲＹ１がＯＮ、ＲＹ２がＯＦＦとなり、降下時には、ＲＹ１がＯＦＦとなり、ＲＹ２がＯＮとなる。
【００１７】
【発明の効果】
本発明の請求項１記載のエレベータ用遮煙装置用脱出装置では、煙を感知して遮煙部材がエレベータ開口部を閉鎖していても、脱出スイッチにより遮煙部材を駆動して上昇させて、エレベータ外に脱出することができる。
また、停止後所定時間経過後に遮煙部材が床面に接地するまで下降してから停止するため、脱出後にエレベータを介してフロアに煙が侵入することを防止することができる。
【図面の簡単な説明】
【図１】本発明の一実施の形態の全体構造を示す斜視図である。
【図２】図１の下面から見たハウジングの底面図である。
【図３】巻取装置の断面図である。
【図４】（ａ）はスクリーン全開の状態を示す正面図であり、（ｂ）はスクリーンを中間まで開放した状態を示す正面図であり、（ｃ）はスクリーン全閉の状態を示す正面図である。
【図５】本実施の形態の制御を示すブロック図である。
【図６】電気回路の全体回路図である。
【図７】図６のＡ部分の巻取動作中の状態を示す回路図である。
【図８】図６のＡ部分の巻取動作が停止の状態を示す回路図である。
【符号の説明】
１　スクリーン
３０　脱出スイッチ
【図１】
2004075258.tif 000003
【図２】
2004075258.tif 000004
【図３】
2004075258.tif 000005
【図４】
2004075258.tif 000006
【図５】
2004075258.tif 000007
【図６】
2004075258.tif 000008
【図７】
2004075258.tif 000009
【図８】
2004075258.tif 000010